(57)【特許請求の範囲】
【請求項１】
弾性変形可能な山形の屈曲部を備えた本体部材と、
当該本体部材の裏面側において本体部材から折り返され、先端部が開閉することで本体部材の裏面との間で物品の一部を挟持するための第一の挟持片と、
前記第一の挟持片に突設され、前記屈曲部の裏面にて形成される谷部と係合する係止突起と、
前記屈曲部と隣接して設けられた軸受部にて回動可能に軸支され、前記本体部材の表側面との間で他の物品を挟持するための第二の挟持片と、
当該第二の挟持片を閉じる方向へ常時付勢する付勢手段と、
当該付勢手段に抗して前記第二の挟持片を開閉操作するために前記第二の挟持片に設けられた操作部と、
を備えたことを特徴とするクリップ。
【請求項２】
前記付勢手段は、前記第二の挟持片を前記屈曲部側へ常時付勢するものであることを特徴とする請求項１に記載のクリップ。
【請求項３】
前記屈曲部は、その上部が前記第二の挟持片の裏面と接触するように構成されていることを特徴とする請求項１又は請求項２に記載のクリップ。
【請求項４】
前記軸受部は、前記本体部材から突設されて前記屈曲部と連結されたリブと一体に形成されていることを特徴とする請求項１ないし請求項３のいずれか一項に記載のクリップ。
【請求項５】
前記屈曲部は、その頂部が肉薄に形成されることで前記谷部が開き易く弾性変形することを特徴とする請求項１ないし請求項４のいずれか一項に記載のクリップ。
【請求項６】
前記第一の挟持片は、前記本体部材と一体形成され、弾性変形により先端部が開閉し、当該第一の挟持片の先端部に設けられた前記係止突起が前記谷部と係合することを特徴とする請求項１ないし請求項５のいずれか一項に記載のクリップ。
【請求項７】
前記係止突起は、前記第一の挟持片の先端部と直交する方向よりも先端が外方へ若干傾斜して突設されていることを特徴とする請求項１ないし請求項６のいずれか一項に記載のクリップ。
【発明の詳細な説明】
【技術分野】
【０００１】
本発明は、クリップに関するものであって、より詳細には、主としてパターカバー（ゴルフクラブ用のパターヘッドカバー）、携帯電話入れ、小物入れ、バックパック、ゴルフバッグなどといったスポーツ又はレジャーの携行品（携帯電話、ラジオ、携帯型音楽プレイヤー、アクセサリー、衣服などを含む）などの物品に装着（固定）して使用するクリップに関するものである。
【０００２】
本発明は、特に物品に対する固定作業が迅速かつ容易であって物品の生産性を向上させることができ、かつ、他の物品に対する装着が容易であって着脱の際の操作性に優れるばかりか、他の物品に対する装着状態が確実で安定しているクリップに関するものである。
なお、これらの物品については、クリップを装着することができるものであれば特に用途・機能などが限定されるものではなく、クリップによって挟持する物品についても特に限定されるものではない
【背景技術】
【０００３】
従来、小物入れなどの物品をベルト又は衣服などに装着するために物品に固定して使用するクリップとしては、図１３に示す構造のクリップ９０が提案されている。
【０００４】
この従来公知のクリップ９０は、本体部材９１の基端部上面に山形の屈曲部９２を形成し、当該本体部材９１の裏面側において本体部材９１から折り返すように第一の挟持片９３を形成し、その第一の挟持片９３の先端部を閉じることで当該第一の挟持片９３に突設した係止突起９４を前記屈曲部９２の裏面に係合させ、本体部材９１の裏面との間で物品の一部を挟持できるように構成するとともに、前記屈曲部９２から第二の挟持片９５を突設し、当該第二の挟持片９５を開閉させることで前記本体部材９１の表側面との間でベルト又は衣服などを挟持することができるように構成されている。
【０００５】
かかる従来のクリップ９０は、構造が簡単であり、かつ、第一の挟持片９３を物品に設けた一対のスリットに挿通して物品の一部を挟んでから係止突起９４を屈曲部９２の裏面と係合させることで物品に対するクリップ９０の固定作業を終えることができ、物品に対するクリップ９０の縫い付け作業や、物品を裏返して内部からリベットやネジを装着する作業などが不要であり、物品の生産性を高めることができるという利点がある。
【０００６】
しかしながら、物品に対するクリップ９０の固定作業は容易であるものの、他の物品を挟持するための第二の挟持片９５の開閉操作を行い難く、他の物品に対する装着が行い難いばかりか、衣服のポケットなどから外れ易いという問題があった。
【０００７】
そこで、他の物品を挟持するための挟持片の開閉操作を行い易くしている従来技術としては、挟持片を回動可能に軸支する構造のクリップが提案されている（特許文献１〜特許文献６参照）。
【０００８】
しかしながら、特許文献１〜特許文献６に記載のベルトクリップは、携帯電話などの硬い樹脂ケースからなる物品にクリップを固定するものであり、合皮又は布製の小物入れなどに対して直接簡易に固定できるものではない。
【０００９】
特許文献７に記載の携帯品用ケースにおいては、クリップを携帯品用ケースに固定するためにリベットを用いており、予め組み立てられた状態のクリップを携帯品用ケースに固定することはできず、挟持片を取り外した状態でリベットを用いクリップ本体を携帯品用ケースに固定し、その後に挟持片をクリップ本体に組み付ける作業を要するため、携帯品用ケースの生産性が低下するという問題がある。
【００１０】
かかる問題を解消するには、挟持片を一時的に９０度ずらすように回動可能とする構造を採用し、リベットをかしめてから挟持片を元の位置に戻す構造を採用することも考えられるが、部品点数が増大したり構造が複雑になるという問題がある。
【先行技術文献】
【特許文献】
【００１１】
【特許文献１】実開昭６３−１１１０４１号公報
【特許文献２】特開平２−１０２９０５号公報
【特許文献３】実開平７−８３１７号公報
【特許文献４】特開平７−３２６８６９号公報
【特許文献５】特開平８−１８６３８５号公報
【特許文献６】特開２００８−３２１５９号公報
【特許文献７】特開２００６−３１９４３３号公報
【発明の概要】
【発明が解決しようとする課題】
【００１２】
そこで、本発明が解決しようとする課題は、パターカバー、バックパック、携帯電話入れ又は小物入れなどの物品に対する固定作業が簡便であり、かつ、他の物品に対する装着が容易であって操作性に優れ、しかも他の物品に対する装着状態が確実で安定しているクリップが提案されていないことである。
そして、本発明の目的は、物品に対する固定作業が迅速かつ容易であって物品の生産性を向上させることができ、かつ、他の物品に対する装着が容易であって着脱の際の操作性に優れるばかりか、他の物品に対する装着状態が確実で安定しているクリップを提供することにある。
【課題を解決するための手段】
【００１３】
本発明は、パターカバー、小物入れ、バックパックなどの物品を他の物品に装着するために使用するクリップであって、「弾性変形可能な山形の屈曲部を備えた本体部材と、当該本体部材の裏面側において本体部材から折り返され、先端部が開閉することで本体部材の裏面との間で物品の一部を挟持するための第一の挟持片と、前記第一の挟持片に突設され、前記屈曲部の裏面にて形成される谷部と係合する係止突起と、前記屈曲部と隣接して設けられた軸受部にて回動可能に軸支され、前記本体部材の表側面との間で他の物品を挟持するための第二の挟持片と、当該第二の挟持片を閉じる方向へ常時付勢する付勢手段と、当該付勢手段に抗して前記第二の挟持片を開閉操作するために前記第二の挟持片に設けられた操作部と、を備えたこと」を最も主要な特徴とするものである。
【００１４】
本発明のクリップにおいて、前記付勢手段は、前記第二の挟持片を前記屈曲部側へ常時付勢するものであってもよく、前記屈曲部は、その上部が前記第二の挟持片の裏面と接触するように構成されていたり、その頂部が肉薄に形成されることで弾性変形し、谷部が開き易くするように構成されていてもよい。
【００１５】
本発明のクリップにおいて、前記軸受部は、前記本体部材から突設されて前記屈曲部と連結されたリブと一体に形成されていてもよく、また、前記第一の挟持片は、前記本体部材と一体形成され、開いた先端部が弾性変形により閉じることができ、当該第一の挟持片の先端部に設けられた前記係止突起が前記谷部と係合するようになっていてもよい。
【００１６】
さらに、前記係止突起は、前記第一の挟持片の先端部と直交する方向よりも先端が外方へ若干傾斜して突設されていてもよい。
【発明の効果】
【００１７】
上記の構成により、本発明のクリップは、第一の挟持片と本体部材の裏面との間で物品の一部を挟持させ、前記第一の挟持片に突設された係止突起を、前記屈曲部の裏面にて形成される谷部と係合させることで、クリップを物品に固定する作業を簡便に行うことができるばかりか、前記第二の挟持片には操作部が設けられているため、付勢手段に抗して第二の挟持片を開閉操作することが容易である。
【００１８】
従って、本発明は、物品に対する固定作業が迅速かつ容易であって物品の生産性を向上させることができ、かつ、他の物品に対する装着が容易であって着脱の際の操作性に優れるばかりか、他の物品に対する装着状態が確実で安定しているといった使い勝手のよいクリップを提供することができる。
【００１９】
本発明のクリップにおいて、前記付勢手段が前記第二の挟持片を前記屈曲部側へ常時付勢するように構成することで、屈曲部の裏面の谷部を閉じる方向に付勢できるため、係止突起と谷部との係合状態を安定させるとともに屈曲部の補強作用を得ることができる。
さらに、屈曲部によって軸受部を保護することができ、第二の挟持片によって挟持されるベルトや衣服などの物品が軸受部に挟まれてしまうことを防ぐこともできる。
【００２０】
本発明のクリップにおいて、前記屈曲部の上部が前記第二の挟持片の裏面と接触するように構成することで、第二の挟持片を押さえることにより、当該第二の挟持片の裏面にて屈曲部の上部を押さえながら屈曲部に無理な応力が加えられることを防止しつつ谷部の第一の挟持片側を開くように変形させることが可能となり、係止突起と谷部とをより一層迅速かつ容易に係合させることができる。
【００２１】
本発明のクリップにおいて、前記軸受部が、前記本体部材から突設されて前記屈曲部と連結されたリブと一体に形成されることにより、応力が集中しやすい軸受部及び屈曲部の強度が高められ、クリップの耐久性を向上させることができるとともに、屈曲部の裏面の谷部による係止突起の係止状態を強固にし、クリップと物品との固定状態をより一層安定させることができる。
【００２２】
本発明のクリップにおいて、前記屈曲部の頂部が肉薄に形成されることで、屈曲部を弾性変形させて谷部を開き、当該谷部に対して係止突起をより一層迅速かつ容易に係合させることができる。
【００２３】
本発明のクリップにおいて、前記第一の挟持片が、前記本体部材と一体形成され、弾性変形により先端部が開閉し、当該第一の挟持片の先端部に設けられた前記係止突起が前記谷部と係合することで、前記係止突起を前記谷部と係合させて第一の挟持片によって物品の一部を保持する構成を簡潔なものとすることができ、クリップの取り付けも容易とすることができる。
【００２４】
本発明のクリップにおいて、前記係止突起が、前記第一の挟持片の先端部と直交する方向よりも先端が外方へ若干傾斜して突設されることで、前記係止突起が谷部の内面側と強く係合することとなるため、前記係止突起と前記谷部との係合状態をさらに安定させることができ、また、谷部を開き易くすることができる。
【図面の簡単な説明】
【００２５】
【図１】図１は本発明を具体化したクリップを物品に装着して固定する様子を示す側面図である。
【図２】図２は本発明を具体化したクリップの第一の挟持片の係止突起を本体部材に係合させた様子を示す側面図である。
【図３】図３は本発明を具体化したクリップをベルトに装着する様子を示す側面図である。
【図４】図４は本発明を具体化したクリップ本体部材の表側面を示す斜視図である。
【図５】図５は本発明を具体化したクリップの付勢手段などを示す平面図である。
【図６】図６は本発明を具体化したクリップを固定するためのスリットを設けた物品と補強パッドを示す背面図である。
【図７】図７は本発明を具体化したクリップと物品を示す斜視図である。
【図８】図８は本発明を具体化したクリップを物品に固定した状態を示す側面図である。
【図９】図９は本発明を具体化したクリップを物品に固定した状態を示すクリップの正面図である。
【図１０】図１０は本発明を具体化したクリップをスリットを設けた物品に装着する様子を示す背面図である。
【図１１】図１１は本発明を具体化したクリップをバックパックに取り付けた状態を示す斜視図である。
【図１２】図１２は本発明を具体化したクリップの変形例を示す側面図である。
【図１３】図１３は従来のクリップを示す側面図である。
【発明を実施するための形態】
【００２６】
本発明は、ゴルフのパターカバー、ゴルフバッグ、小物入れ、バックパックなどの物品に装着するために使用するクリップを「弾性変形可能な山形の屈曲部を備えた本体部材と、当該本体部材の裏面側において本体部材から折り返され、先端部が開閉することで本体部材の裏面との間で物品の一部を挟持するための第一の挟持片と、前記第一の挟持片に突設され、前記屈曲部の裏面にて形成される谷部と係合する係止突起と、前記屈曲部と隣接して設けられた軸受部にて回動可能に軸支され、前記本体部材の表側面との間で他の物品を挟持するための第二の挟持片と、当該第二の挟持片を閉じる方向へ常時付勢する付勢手段と、当該付勢手段に抗して前記第二の挟持片を開閉操作するために前記第二の挟持片に設けられた操作部と、を備える」ように構成することで、物品に対する固定作業が迅速かつ容易であって物品の生産性を向上させることができ、かつ、他の物品に対する装着が容易であって着脱の際の操作性に優れるばかりか、他の物品に対する装着状態が確実であるクリップを実現した。
【００２７】
本発明のクリップにおいて、前記付勢手段が前記第二の挟持片を前記屈曲部側へ常時付勢するように構成することで、屈曲部の裏面の谷部を閉じる方向に付勢でき、係止突起と谷部との係合状態を安定させるとともに屈曲部の補強作用を得ることが可能となる。
【００２８】
前記屈曲部は、第二の挟持片を閉じた状態において、屈曲部の上部が前記第二の挟持片の裏面と接触するように構成されていてもよい。かかる実施形態によれば、前記第一の挟持片に突設された係止突起を前記屈曲部の裏面の谷部と係合させる際に、第二の挟持片を押さえることにより、当該第二の挟持片の裏面にて屈曲部の上部を押さえながら屈曲部に無理な応力が加えられることを防止しつつ谷部の第一の挟持片側を開くように変形させることが可能となり、係止突起を谷部とをより一層迅速かつ容易に係合させることができる。
【００２９】
前記軸受部は、前記本体部材から突設されて前記屈曲部と連結されたリブと一体に形成されていてもよく、かかる実施形態によれば、応力が集中しやすい軸受部及び屈曲部の強度が高められ、クリップの耐久性を向上させることができるとともに、屈曲部の裏面の谷部による係止突起の係止状態を強固にして安定させることができる。
【００３０】
前記屈曲部は、その頂部が肉薄に形成されることで前記谷部が開き易く弾性変形するようにしてもよく、かかる実施形態によれば、屈曲部を弾性変形させて谷部を開き係止突起をより一層迅速かつ容易に係合させることができる。
【００３１】
前記第一の挟持片は、前記本体部材と一体形成され、弾性変形により開いた先端部を閉じることができ、当該第一の挟持片の先端部に設けられた前記係止突起が前記谷部と係合するようにしてもよく、かかる実施形態によれば、前記係止突起を前記谷部と係合させて第一の挟持片によって物品の一部を保持する構成を簡潔なものとすることができ、クリップの取り付けも容易である。
【００３２】
前記係止突起は、前記第一の挟持片の先端部と直交する方向よりも先端が外方へ若干傾斜して突設されていてもよく、かかる実施形態によれば、前記係止突起が谷部の外側の内面側と強く係合することとなるため、前記係止突起と前記谷部との係合状態を安定させることができる。
【実施例１】
【００３３】
図１〜図３は、本発明を具体化したクリップ１０の一実施例を示す側面図であって、当該クリップ１０は、パターカバー又は小物入れなどの物品２０をベルト３０又は衣服のポケットなどに装着するために使用することができるものである。
【００３４】
１は、弾性変形が可能であって強度に優れた合成樹脂（例えば、ＰＯＭ：ポリアセタール）から構成された本体部材であって、当該本体部材１の中央部より若干基端寄りの位置に本体部材１の長手方向と交差する方向に延びる弾性変形可能な山形の屈曲部２を備えている。
【００３５】
３は、前記本体部材１の裏面側において本体部材１から折り返されるように本体部材１と一体形成され、図１に示すように先端部が開閉することで本体部材１の裏面との間で物品２０の一部を挟持することができる第一の挟持片である。
【００３６】
４は、前記第一の挟持片３の先端部上面に突設され、前記屈曲部２の裏面にて形成される谷部５と係合する板状の係止突起であって、前記第一の挟持片３の長手方向と交差する方向に沿って設けられている。
【００３７】
この係止突起４は、前記第一の挟持片３の先端部上面と直交する方向よりも先端が外方へ若干傾斜して突設されることで、当該係止突起４が谷部５の内面側と強く係合するとともに、谷部５を開き易くするようになっている（即ち、図１において、角度θが約８６度といった鋭角となるように係止突起４が突設されている。）。
【００３８】
さらに、前記係止突起４の先端部には、図４に示すように外方又は内方に交互に突出するように係止段部４ａが形成されており、当該係止段部４ａと対応するように前記谷部５に形成された係止段部５ａと互いに抜け止め状態で係合するようになっている。
【００３９】
６は、前記屈曲部２の外方にて隣接して設けられた一対の軸受部であって、前記本体部材１から互いに平行となるように突設され、透孔６ａが形成されている。前記軸受部６は、前記屈曲部２と連結されたリブ６ｂと一体に形成されている。なお、ここで屈曲部２と「隣接して」設けられた軸受部６について念のため付言すると、これは屈曲部２と軸受部６との間には特に余分な空間や他の構成要素を設けることが必須ではないことを意味するにすぎないものであり、本実施例における具体的な位置関係に限定されるものではない。
【００４０】
７は、前記一対の軸受部６間に架設された軸ピン８にて回動可能に軸支され、先端側が開閉することで前記本体部材１の表側面との間でベルト３０又は衣服などの他の物品を挟持するための第二の挟持片であって、前記本体部材１と同じく強度に優れた合成樹脂から構成されている。
【００４１】
本実施例において、前記軸受部６は、前記屈曲部２の背後に配置されているため、屈曲部２によって保護されることとなり、また、第二の挟持片７によって挟持する物品を軸受部６が挟み込むことを防止することもできる。
【００４２】
９は、前記第二の挟持片７を前記屈曲部２側へ常時付勢する付勢手段としてのコイルバネであって、図５に示すように前記軸ピン８に巻装配置され、当該第二の挟持片７の基部に設けられた操作部７ａの裏面と本体部材１の基部の上面との間を開くように常時付勢するようになっている。
【００４３】
よって、クリップ１０が固定された物品２０をベルト３０などに装着したりベルト３０などから取り外す際に、前記操作部７ａを押さえることで、前記コイルバネ９に抗して前記第二の挟持片７を容易に開閉操作することができるように構成されている。
【００４４】
なお、前記第二の挟持片７の先端部７ｂは、前記本体部材１側へ鉤形に折り曲げられており、さらに、当該本体部材１の先端部上面を若干窪ませて形成した延長部１ａの上面と当接するようになっており、本体部材１の上面と第二の挟持片７との間にベルト３０などを確実に保持できるようになっている。
ここで、前記第二の挟持片７によって主に挟むべき物品が肉厚のものである場合には前記先端部７ｂの長さを適宜大きくすればよい。
【００４５】
次に、本発明のクリップ１０の使用方法について説明する。
本発明のクリップ１０を物品２０に固定するには、図６及び図７に示すように物品２０の背面に上下一対の上部スリット２１及び下部スリット２２を互いに平行となるように形成する。なお、これらのスリット２１，２２は、第一の挟持片３の基端部の位置から係止突起４の形成位置までの距離に合わせて形成する（図１参照）。
【００４６】
さらに、クリップ１０が固定される物品２０の背面を構成する素材（天然皮革、合成皮革又は布など）の強度が十分でない場合には、合成樹脂などからなる補強パッド４０を使用するとよい。当該補強パッド４０には、予め前記スリット２１，２２と対応する位置にそれらのスリット２１，２２より若干大きめの上部補強スリット４１及び下部補強スリット４２を形成しておき、それらのスリット４１，４２を物品２０のスリット２１，２２と対応させて物品２０の背面内部に貼り付ける。
【００４７】
そして、クリップ１０の第一の挟持片３の先端部３ａ及び係止突起４を、物品２０の前記下部スリット２２及び下部補強スリット４２に挿入し、さらに、図１に示すように上部補強スリット４１及び上部スリット２１から引き出すことで、物品２０の背面の一部を第一の挟持片３によって挟み込む。
【００４８】
その後、前記屈曲部２と対応する第二の挟持片７の上面位置を押さえることで、係止突起４を谷部５に押し込むようにして係合させる。この場合、第二の挟持片７を押さえることで、第二の挟持片７の裏面にて屈曲部２の上部を押さえながら屈曲部２に無理な応力が加えられることを防止しつつ谷部５の第一の挟持片３側を開くように弾性変形させることが可能となり、係止突起４を谷部５と迅速かつ容易に係合させることができる。
【００４９】
従って、上記のとおりの簡便な方法でクリップ１０を物品２０に対して迅速かつ容易に固定する作業を終えることができ、クリップ１０を備えた物品２０の生産性を向上させることができる。
【００５０】
即ち、本発明によるクリップ１０においては、クリップ１０を物品２０に対して縫い付ける作業や、物品２０を裏返して内部からリベットやネジを装着する作業などが不要であり、かつ、クリップ１０を物品２０に固定するために複雑な加工作業を行ったり、複雑な加工部品を用いる必要がない。
【００５１】
物品２０に固定されたクリップ１０をベルト３０などに装着したりベルト３０などから取り外す際には、前記第二の挟持片７の操作部７ａを押さえることで、前記コイルバネ９に抗して前記第二の挟持片７を開閉操作することを容易に行うことができるため、ベルト３０などに対する物品２０の着脱操作を容易かつ速やかに行うことができる。
【００５２】
しかも、前記第二の挟持片７は、コイルバネ９により常時閉じるように付勢されており、かつ、前記第二の挟持片７の先端部７ｂが鉤形に折り曲げられて本体部材１の延長部１ａの上面と当接するようになっているため、本体部材１の上面と第二の挟持片７との間にベルト３０などを確実に保持できるようになっている。
【００５３】
前記実施例においては、クリップ１０を構成する軸ピン８及びコイルバネ９を金属から構成し、その他の構成部分を合成樹脂（ＰＯＭ）から構成したが、本発明のクリップ１０を構成するための合成樹脂材料としては、他にＰＡ（ポリアミド：各種ナイロン）、ＰＰ（ポリプロピレン）といった結晶性樹脂（高分子結晶をつくるタイプ）又はＰＣ（ポリカーボネート樹脂）、ＡＢＳ（アクリロニトリルブタジエンスチレン）、ＡＳ（樹脂アクリロニトリルスチレン）、ＨＩ−ＰＳ（耐衝撃性ポリスチレン）といった非晶性樹脂（結晶にならないタイプ）などが好適である。
【００５４】
また、本発明のクリップ１０を物品に２０に装着して固定する方法としては、図１０に示すように、上部スリット２１のみを設けた布片２５の下辺以外の３辺を物品２０に縫い付けて布片２５を物品２０と一体化し、その布片２５の下方からクリップ１０の係止突起４を挿入し、上部スリット２１から引き出すことで、第一の挟持片３にて物品２０の一部を挟持するようにして実施してもよい。
【００５５】
なお、図１１に示すように、本発明のクリップ１０を装着して固定する物品をバックパック５０とした場合においては、第二の挟持片７によって帽子３１、カメラ、コンパスその他の物品を挟持できる。
【００５６】
さらに、本発明のクリップが第一の挟持片３にて装着される物品は特に限定されないので、本発明のクリップ１０をゴルフバッグ、衣服、ベルトなどの物品に装着して実施してもよい。また、第二の挟持片７によって挟持される他の物品も特に限定されないので、ハンカチや紙片といった薄いものを挟持しやすくするため、図１２に示すクリップ１１のように、本体部材１の上面を平坦な状態とし、第二の挟持片７の先端部７ｃについても本体部材１の先端部と沿うように平坦な状態として実施してもよい。
【００５７】
本発明は上記実施例に限定されるものではなく、本体部材１と第二の挟持片７の形状を挟持する物品に応じてそれらを挟持しやすく変更して実施してもよい。
また、前記係止突起４の外方に延びる第一の挟持片３の先端部３ａを長くすることで物品２０との連結強度を高めるようにしたり、逆に当該先端部３ａを短くすることでスリット２１，２２への挿入作業を容易にするなど適宜変更して実施してもよい。
【００５８】
あるいは、屈曲部２及び軸受部６の位置関係を逆にして実施してもよい。この場合、屈曲部２が第二の挟持片７の開閉操作の邪魔にならないように、屈曲部２の大きさを小さくするとか、軸受部６の設置位置を屈曲部２からやや離間させるなどの変更が適宜必要となる。
【００５９】
また、本発明の趣旨を逸脱しない範囲で前記クリップ１０の材質、形状、寸法、強度などを適宜変更したり、本体部材と第一の挟持片とを別体にて構成したり、各部の形状、設置位置、厚さ、大きさ、数などを適宜変更して実施してもよい。
【産業上の利用可能性】
【００６０】
本発明は、クリップ及びクリップを備えた各種の物品の製造において好適に利用可能であるが、クリップが取り付けられる物品及びクリップによって挟む物品については特に限定されるものではない。
【符号の説明】
【００６１】
１    本体部材
１ａ  延長部
２    屈曲部
３    第一の挟持片
３ａ  先端部
４    係止突起
４ａ  係止段部
５    谷部
５ａ  係止段部
６    軸受部
６ａ  透孔
６ｂ  リブ
７    第二の挟持片
７ａ  操作部
７ｂ  先端部
７ｃ  先端部
８    軸ピン
９    コイルバネ（付勢手段）
１０    クリップ
１１    クリップ
２０    物品（小物入れ）
２１  上部スリット
２２  下部スリット
２５  布片
３０    ベルト
３１    帽子
４０    補強パッド
４１  上部補強スリット
４２  下部補強スリット
５０    物品（バックパック）
９０    クリップ（従来技術）
９１  本体部材
９２  屈曲部
９３  第一の挟持片
９４  係止突起
９５  第二の挟持片
【図１】
0005441647.tif 000002
【図２】
0005441647.tif 000003
【図３】
0005441647.tif 000004
【図４】
0005441647.tif 000005
【図５】
0005441647.tif 000006
【図６】
0005441647.tif 000007
【図７】
0005441647.tif 000008
【図８】
0005441647.tif 000009
【図９】
0005441647.tif 000010
【図１０】
0005441647.tif 000011
【図１１】
0005441647.tif 000012
【図１２】
0005441647.tif 000013
【図１３】
0005441647.tif 000014